(57)【要約】【課題】ハニカム構造体の筒状部で形成された中空部を通して直射日光を遮る採光と通風を確保し、中空部の正面側からを除く目隠し効果をも得るすだれ状カーテンを提供する。【解決手段】可撓性あるシート状材料により形成した中空の筒状部１３の多数が１〜３層で上下方向に展張・折り畳み自在に連接されたカーテン材１０の多数を、上枠２と操作機構４によって昇降可能にした下枠３との間に吊下する。各筒状部１３は、それらの軸線が水平方向で該多数のカーテン材１０を並列させる面に直交する方向を向くようにし、その軸線方向の長さは、単一の筒状部の折り畳み状態における開口部横幅の０．５〜３倍にする。【選択図】図１
2011104168.tif 000002
【特許請求の範囲】
【請求項１】
可撓性あるシート状材料により形成した中空の筒状部の多数が１〜３層で上下方向に展張・折り畳み自在に連接され、各筒状部がその軸線方向には単一の筒状部の折り畳み状態における開口部横幅の０．５〜３倍の長さを有するものとして形成されたカーテン材を備え、
上記カーテン材の多数の各一端を、それらの筒状部の軸線が水平方向で該多数のカーテン材を並列させる面に直交する方向を向くようにして、上枠に並列状態で密に配列させて固定し、
上記上枠に上端を固定した各カーテン材の下端を、操作機構によって昇降可能にした下枠に固定した、
ことを特徴とするすだれ状カーテン。
【請求項２】
上記カーテン材の全部または一部に、該カーテン材を上下に貫通する昇降紐の挿通孔を設け、該挿通孔に挿通して下端を上記下枠に固定した昇降紐の上端を、上記上枠内において巻取輪に巻取り可能にし、上記操作機構によって上記巻取輪を回転操作可能にした、
ことを特徴とする請求項１に記載のすだれ状カーテン。
【請求項３】
上記上枠内に上記カーテン材を並列させる面に沿って水平に伸びる巻取軸を回転自在に架設し、該巻取軸に、上記カーテン材に挿通した各昇降紐の上位に位置させて巻取輪を固定し、上記巻取軸の軸端にそれを回転させる上記操作機構を設けた、
ことを特徴とする請求項２に記載のすだれ状カーテン。
【請求項４】
上記上枠と下枠との間にカーテン材の多数を密に配列させて固定したカーテン材列における両側端に、筒状部の軸線方向の長さを除いて上記カーテン材と同形状としたカーテン縁材を、その筒状部の軸線が水平方向で上記カーテン材を並列させた面に平行な方向に向くようにして、上記上枠及び下枠間に固定した、
ことを特徴とする請求項１〜３のいずれかに記載のすだれ状カーテン。
【請求項５】
上記カーテン材に形成した中空の筒状部が２層に形成されている、
ことを特徴とする請求項１〜４のいずれかに記載のすだれ状カーテン。
【請求項６】
上記カーテン材が、上記シート状材料を一定の幅で交互に反対方向に折り畳み、その折り畳みによって相互に重ねられたシート状材料を、該折り畳みを行った両側の各折り目からそれぞれ上記幅の３分の１だけ内側に寄った位置において、隣接する折り目により開かれる面を該折り目に平行する接合部で接合し、それを各折り畳み部分について繰り返すことにより得られる筒状部の軸線方向の長さを定寸に切断することにより、筒状部が２層で上下方向に展張・折り畳み自在に連接したものとして形成されている、
ことを特徴とする請求項５に記載のすだれ状カーテン。
【請求項７】
上記カーテン材が、両端に接着代を有する一定幅の第１のシート状材料を半分に折り畳んでその両端の接着代を相互に接合すると共に、上記接着代側及び折り畳んだ折り目側を重ね合わせてその第１のシート状材料の多数を重積し、該重積により隣接している第１のシート状材料を幅方向の中央部の接合部において順次接合し、
一方、上記第１のシート状材料に比して１／２幅で両端に接着代を有する該第１のシート状材料とは異色の第２のシート状材料を半分に折り畳み、その接着代側及び折り畳んだ折り目側を重ね合わせてその第２のシート状材料の多数を重積し、該重積により隣接している第２のシート状材料の相互に重なる接着代を互いに接合すると共に、該接合部分と上記第１のシート状材料における接着代とを相互に接合し、
それによって得られた第１及び第２のシート状材料の接合体における筒状部の方向の長さを定寸に切断することにより、筒状部が２層で上下方向に展張・折り畳み自在に連接したものとして形成されている、
ことを特徴とする請求項５に記載のすだれ状カーテン。
【発明の詳細な説明】
【技術分野】
【０００１】
本発明は、建物開口部等に設置するためのすだれ状カーテンに関するものであり、更に具体的には、折り畳み可能な可撓のシート状材料により形成した筒状部が１〜３層で上下方向に多数連接された形態のカーテン材の多数を吊下することにより、上記筒状部により形成された中空部を通して直射日光を遮る採光と通風を確保し、更に該中空部の正面側からを除く目隠し効果を得られるようにしたすだれ状カーテンに関するものである。
【背景技術】
【０００２】
中空の筒状部の多数が蜂の巣状に密に配列された構造体（以下、これをハニカム構造体という。）を、その筒状部を室内外方向に向けて窓等の建物開口部に張設すると、上記筒状部の軸線方向長さにもよるが、昼間に斜め上方から入射する直射日光が該筒状部により遮られて室内には直接入射せず、しかしながら、該筒状部により形成された中空部を通して採光と通風とは確保することができ、また該中空部の正面側からは室内を覗き見することができるが、筒状部の存在により斜め方向からは室内を見ることができず、従って、正面側からを除いて目隠し効果を発揮させることができる。
【０００３】
このような利点を有するハニカム構造体であっても、一般的には、それを常に建物開口部に張設したままにすることは望まれず、カーテンやブラインドのように開け閉め可能にすることが強く望まれる。しかしながら、上記ハニカム構造体における各筒状部を含む全体を可撓性あるシート状材料により形成しても、それをスムースに開け閉めすること、つまり該ハニカム構造体を一方向に折り畳み可能にするには、以下に説明するような困難性がある。
【０００４】
即ち、上記ハニカム構造体における各筒状部を含む全体を可撓性あるシート状材料により図１３に示すような形態に形成した場合、同図（Ａ）に示すように、該ハニカム構造体５０を展張状態にした状態から、それを上下に折り畳むと、同図（Ｂ）に示すように折り畳まれるが、その際、各筒状部５１を形成しているシート状材料５２が全て水平に向くことになるので、ハニカム構造体５０の全体の横幅が同図（Ａ）におけるＬａから同図（Ｂ）に示すＬｂまで伸びることになり、そのため、同図（Ｂ）の状態にあるハニカム構造体５０の上端面を図１４に示すように建物開口部の上枠５３等に固定しておくと、それを展張させた場合に、展張した下部では横幅がＬａまで変形することになり、左右両側の建物開口部枠との間に隙間ができて著しく外観が損なわれ、使用に耐えないものになる。なお、ハニカム構造体の構造が上記図１３のものと異なる場合についても同様な問題がある。
【発明の概要】
【発明が解決しようとする課題】
【０００５】
本発明の技術的課題は、上述した可撓性あるシート状材料により形成した多数の筒状部をもつハニカム構造体を折り畳んだ状態から展張するに際し、上記図１４に示すような極端な変形が生じることなく、多数の筒状部がほぼ垂直に垂下して所期の形態に吊下されるようにし、それによって、外観を損なうことなく、ハニカム構造体の筒状部により形成された中空部を通して直射日光を遮る採光と通風を確保し、更に該中空部の正面側からを除く目隠し効果を得られるようにしたすだれ状カーテンを提供することにある。
【課題を解決するための手段】
【０００６】
上記課題を解決するため、本発明によれば、可撓性あるシート状材料により形成した中空の筒状部の多数が１〜３層で上下方向に展張・折り畳み自在に連接され、上記各筒状部が、その軸線方向には、単一の筒状部の折り畳み状態における開口部横幅の０．５〜３倍の長さを有するものとして形成されたカーテン材を備え、上記カーテン材の多数の各一端を、それらの筒状部の軸線が水平方向で該多数のカーテン材を並列させる面に直交する方向を向くようにして、上枠に並列状態で密に配列させて固定し、上記上枠に上端を固定した各カーテン材の下端を、操作機構によって昇降可能にした下枠に固定したことを特徴とするすだれ状カーテンが提供される。
【０００７】
本発明に係る上記すだれ状カーテンの好ましい実施形態においては、上記カーテン材の全部または一部に、該カーテン材を上下に貫通する昇降紐の挿通孔を設け、該挿通孔に挿通して下端を上記下枠に固定した昇降紐の上端を、上記上枠内において巻取輪に巻取り可能にし、上記操作機構によって上記巻取輪を回転操作可能に形成される。この場合に、上記上枠内に上記カーテン材を並列させる面に沿って水平に伸びる巻取軸を回転自在に架設し、該巻取軸に、上記カーテン材に挿通した各昇降紐の上位に位置させて巻取輪を固定し、上記巻取軸の軸端にそれを回転させる上記操作機構を設けることができる。
【０００８】
本発明に係る上記すだれ状カーテンの好ましい実施形態においては、上記上枠と下枠との間にカーテン材の多数を密に配列させて固定したカーテン材列における両側端に、筒状部の軸線方向の長さを除いて上記カーテン材と同形状としたカーテン縁材を、その筒状部の軸線が水平方向で上記カーテン材を並列させた面に平行な方向に向くようにして、上記上枠及び下枠間に固定することができる。
【０００９】
本発明の上記すだれ状カーテンにおけるカーテン材は、その中空の筒状部が２層に形成されているのが望ましい。
その場合に、上記シート状材料を一定の幅で交互に反対方向に折り畳み、その折り畳みによって相互に重ねられたシート状材料を、該折り畳みを行った両側の各折り目からそれぞれ上記幅の３分の１だけ内側に寄った位置において、隣接する折り目により開かれる面を該折り目に平行する接合部で接合し、それを各折り畳み部分について繰り返すことにより得られる筒状部の軸線方向の長さを定寸に切断することにより、筒状部が１〜３層で上下方向に展張・折り畳み自在に連接したものとして形成することができる。
【００１０】
また、上記すだれ状カーテンにおけるカーテン材は、両端に接着代を有する一定幅の第１のシート状材料を半分に折り畳んでその両端の接着代を相互に接合すると共に、上記接着代側及び折り畳んだ折り目側を重ね合わせてその第１のシート状材料の多数を重積し、該重積により隣接している第１のシート状材料を幅方向の中央部の接合部において順次接合し、一方、上記第１のシート状材料に比して１／２幅で両端に接着代を有する該第１のシート状材料とは異色の第２のシート状材料を半分に折り畳み、その接着代側及び折り畳んだ折り目側を重ね合わせてその第２のシート状材料の多数を重積し、該重積により隣接している第２のシート状材料の相互に重なる接着代を互いに接合すると共に、該接合部分と上記第１のシート状材料における接着代とを相互に接合し、それによって得られた第１及び第２のシート状材料の接合体における筒状部の方向の長さを定寸に切断することにより、筒状部が１〜３層で上下方向に展張・折り畳み自在に連接したものとして形成することもできる。
【発明の効果】
【００１１】
本発明によれば、可撓性あるシート状材料により形成したハニカム構造体を折り畳んだ状態から展張するに際し、極端な変形が生じることなく、筒状部をほぼ垂直に垂下させて所期の形態に吊下でき、それによって、外観を損なうことなく、ハニカム構造体の筒状部により形成された中空部を通して直射日光を遮る採光と通風を確保し、更に該中空部の正面側からを除く目隠し効果を得ることができる。
【図面の簡単な説明】
【００１２】
【図１】本発明に係るすだれ状カーテンの実施例を、その要部を拡大して示す部分省略斜視図である。
【図２】上記実施例におけるすだれ状カーテンの展張状態を示す正面図である。
【図３】上記実施例におけるすだれ状カーテンの折り畳み状態を示す正面図である。
【図４】上記実施例における要部拡大断面図である。
【図５】上記実施例におけるカーテン材の変形例を示す要部拡大正面図である。
【図６】上記カーテン材の変形例を示す要部拡大正面図で、（Ａ）は中空の筒状部が１層の場合、（Ｂ）は同筒状部の上下位置を順次１／２ピッチだけずらして配置した３層の場合を示している。
【図７】上記実施例のカーテン材における遮光作用を説明するための図４におけるＡ−Ａ位置での断面図である。
【図８】上記カーテン材の折り畳み状態の要部作用説明図である。
【図９】上記カーテン材の上下端への固定板の取り付け構造の変形例を示す一部破断拡大正面図である。
【図１０】上記実施例における上枠の内部構造を示す要部拡大断面図図である。
【図１１】上記上枠内の一方向回転伝達機構の横断面図である。
【図１２】上記上枠における操作機構の断面図である。
【図１３】中空の筒状部の多数が蜂の巣状に密に配列されたハニカム構造体をすだれ状カーテンとして用いる場合の説明図であって、（Ａ）はその展張状態を、（Ｂ）はその折り畳み状態を示す各説明図である。
【図１４】上記ハニカム構造体のすだれ状カーテンとしての使用状態における問題点の模式的説明図である。
【発明を実施するための形態】
【００１３】
図１〜図１２は、本発明に係るすだれ状カーテンの部分的な変形例を含む代表的な実施例を示している。
このすだれ状カーテン１は、図１〜図３に示すように、紙、織布、不織布、あるい合成樹脂シート等の可撓性あるシート状材料１２により形成したカーテン材１０の多数及びその両側のカーテン縁材１１の各上端を、建物開口部の上部に取り付ける上枠２に連結して垂下させ、該各カーテン材１０及びカーテン縁材１１の下端を、操作機構４によって昇降可能にした下枠３に固定することにより、該カーテン材１０及びカーテン縁材１１を上下方向に展張・折り畳み自在に構成したものである。上記シート状材料１２は、先方を透視できない程度に半透明であり、乱反射による光透過があることが望まれる。
【００１４】
図１及び図４に明瞭に示す構成例の上記カーテン材１０は、中空の筒状部１３が１／２ピッチだけ上下位置をずらして配置された２層のもので、それらの筒状部１３の多数が上下方向に展張・折り畳み自在に連接されたものであり、各カーテン材１０の一端の上枠２への連結に際しては、該カーテン材１０の筒状部１３の軸線が水平方向で、該多数のカーテン材１０を並列させる面（以下、並列面という。）に直交する方向を向くようにして、つまり、建物開口部において室の内外方向に向くようにして、並列状態で取り付けている。この場合に、図３に示すように、カーテン材１０の折り畳み状態では隣接するカーテン材１０が接触状態で密に配設される。しかしながら、図２に示すようにカーテン材１０を展張した状態では該カーテン材１０の間に隙間１６が生じることになり、この隙間１６を小さくするためにも隣接するカーテン材１０を密に並列させることが望まれる。
【００１５】
上記カーテン材１０における各筒状部１３は、その軸線方向の長さｂ（図７参照）が、単一の筒状部１３の折り畳み状態における開口部横幅ａ（図８参照）の０．５〜３倍、望ましくは、１〜２倍の長さを有するものとして形成される。このような長さに形成すると、図７によって後述するように、太陽Ｓからの直射日光の適度の遮光と適切な目隠し効果を得ることができる。
【００１６】
また、上記カーテン材１０の多数を上下枠２，３間に密に配列させて固定したカーテン材列の並列面における両側端には、筒状部１３の軸線方向の長さを除いて上記カーテン材１０と同形状としたカーテン縁材１１を、その筒状部１３の軸線が水平方向で上記カーテン材１０の並列面に平行する方向に向くように、上記上下枠２，３間に固定している。このカーテン縁材１１は、カーテン材列の両端においてカーテン材１０の遊動を抑制して、カーテン材１０の姿勢の安定化を図るものであるが、必ずしも設ける必要はなく、また、カーテン材列を形成するカーテン材１０の数が多いときには、必要に応じてそのカーテン材列中の一部に配設することもできる。
【００１７】
上述したカーテン材列及びその両側端に配置したカーテン縁材１１は、それらを上下枠２，３に固定するに当たり、図１及び図４に示すように、それらの上下端をそれぞれ固定板１８，１９に並列状態で接着することによりカーテン組立体５を構成し、それらの固定板１８，１９を図１に示すように上下枠２，３の互いに対向する開口部口縁２１，３１の内側に係止させて、該カーテン組立体５を上下枠２，３に取り付けることもできるが、図９に示すように、カーテン材１０及びカーテン縁材１１の上下端の隣接する筒状部１３間のシート状材料１２の一部を切除して両筒状部１３内の中空部１３ａを連通させ、それによって生じた幅広の空間２０に固定板１８，１９を嵌挿して、該固定板１８，１９を上下枠２，３の互いに対向する開口部口縁２１，３１の内側に係合させることにより取り付けることもできる。
【００１８】
なお、上記図９の例では、各カーテン材１０の上下端に個別的に固定板１８，１９を嵌挿する必要があると同時に、各カーテン縁材１１の上下端にも個別的に固定板１８，１９を嵌挿する必要があるので、多数のカーテン材１０とその両側のカーテン縁材１１とを該固定板１８，１９により一体化したカーテン組立体５とすることはできないが、ここではそれらを一纏めにしてカーテン組立体と呼ぶことにする。この変形例の場合には、個々のカーテン材１０またはカーテン縁材１１が損傷したときなどに、その交換を容易に行うことができる。また、この変形例の場合、カーテン縁材１１は、その筒状部１３のシート状材料１２を介して上下枠２，３の互いに対向する開口部口縁２１，３１の内側に係合させることになる。
【００１９】
上記カーテン材１０及びカーテン縁材１１の素材を製造する場合には、例えば、図４に示すように、上記シート状材料１２を一定の幅で交互に反対方向に折り畳み、その折り畳みによって相互に重ねられたシート状材料１２を、該折り畳みを行った両側の各折り目１４ａからそれぞれ上記幅のほぼ３分の１だけ内側に寄った位置において、隣接する折り目１４ａにより開かれる面を該折り目１４ａに平行する線状の接合部１４ｂにおいて接合し、それを各折り畳み部分について繰り返すことにより得られる素材における筒状部１３の軸線方向の長さを定寸に切断することにより、上記筒状部１３が１〜３層で上下方向に展張・折り畳み自在に連接したものとして形成することができる。
【００２０】
また、上記カーテン材１０及びカーテン縁材１１の素材は、図５に示す変形例からわかるように、両端に接着代１５ｂを有する一定幅の第１のシート状材料１２ａを半分に折り畳んで、その両端の接着代１５ｂを相互に接合すると共に、該接着代１５ｂ側及び折り畳んだ折り目１５ａ側がそれぞれ合うように重ね合わせて、その第１のシート状材料１２ａの多数を重積し、該重積により隣接している第１のシート状材料１２ａを幅方向のほぼ中央部の線状の接合部１５ｃにおいて順次接合し、一方、上記第１のシート状材料１２ａに比してほぼ１／２幅で両端に接着代１５ｅを有する該第１のシート状材料１２ａとは異色の第２のシート状材料１２ｂを半分に折り畳み、その接着代１５ｅ側及び折り畳んだ折り目１５ｄ側がそれぞれ合うように重ね合わせて、その第２のシート状材料１２ｂの多数を重積し、該重積により隣接している第２のシート状材料１２ｂの相互に重なる接着代１５ｅを互いに接合すると共に、該接合部分と上記第１のシート状材料１２ａにおける接着代１５ｂの接合部とを相互に接着し、それによって得られた第１及び第２のシート状材料１２ａ，１２ｂの接合体における筒状部１３の軸線方向の長さを定寸に切断することにより、筒状部１３が１〜３層で上下方向に展張・折り畳み自在に連接したものとして形成することもできる。
【００２１】
なお、上記カーテン材１０及びカーテン縁材１１の素材の形成は、上述した図４または図５の構成に限らず、シート状材料により形成した筒状部１３が、図６に示すように、１〜３層で上下方向に順次連接された各種形態に形成することができる。また、上記カーテン材１０及びカーテン縁材１１からなるカーテン組立体５の上下端の上枠２及び下枠３への固定も、上述した構成例に限らず、他の任意手段を用いることもできる。
【００２２】
図６の（Ａ）は、上記カーテン材１０を筒状部１３が１層のものとして構成した変形例を示し、同図の（Ｂ）は、上記カーテン材１０における筒状部１３を３層として各層の筒状部１３の上下位置を順次１／２ピッチだけずらして配置した変形例を示している。上記図６の（Ａ）に示すカーテン材１０は、上記シート状材料１２を筒状に形成しながら順次連結して形成したものであり、また、同図の（Ｂ）に示すカーテン材は、図５に示しているように、一定幅の第１のシート状材料１２ａを半分に折り畳んで、その両端の接着代１５ｂを相互に接合したうえで、その第１のシート状材料１２ａの多数を重積して幅方向のほぼ中央部の接合部１５ｃにおいて順次接合したものの一対を、それらの接着代１５ｂを順次相互に接合したものとして構成しているが、そのような構成に限るものではなく、任意手段で１ないし３層に形成することができる。
【００２３】
上述の各種カーテン材１０を用いたカーテン組立体５を展張し、あるいは、そのカーテン組立体５を上方に折り畳んで建物開口部を開放するため、また、カーテン材１０の姿勢を安定化させるため、図１，２及び４に示すように、上記各カーテン材１０の中央には、それを上下に貫通する昇降紐２５の挿通孔２３を設け、該挿通孔２３に挿通して下端を上記下枠３またはそれに係合させている固定板１９に固定した該昇降紐２５の上端を、上記上枠２に係合させた固定板１８の挿通孔２４を通して該上枠２内に導入し、図１０に示すように、該上枠２内において巻取輪２７に巻取ることにより、上記下枠３の自重によって緊張状態に保持させるようにしている。なお、図６のカーテン材では上記挿通孔２３の図示を省略しているが、幅方向の中央に設けることになる。また、該昇降紐２５として、ここでは扁平な断面を有するものを図示しているが、それに限るものではない。
【００２４】
上記巻取輪２７は、上枠２内において上記カーテン材の並列面に沿って水平に伸びるように回転自在に架設した巻取軸（角軸）２６に固定されるが、各カーテン材１０に挿通した昇降紐２５を個別的に巻き取るために、固定板１８における各カーテン材１０を固定した位置の上位にそれぞれ配設し、その周溝状の巻取り部分の外周側の溝幅を広くすることにより、昇降紐２５の巻取り量を増大させると同時に、巻き取ろうとする昇降紐２５の脱輪を抑制するようにしている。そして、該巻取軸２６の軸端には、それを回転させる前記操作機構４を設けている。なお、上記巻取輪２７は、必ずしも各昇降紐２５について個別的に設ける必要はなく、単一の巻取軸として構成することもできる。
また、図示を省略しているが、カーテン縁材１１の中央部にも昇降紐２５の挿通孔を設けて、上記カーテン材１０の場合と同様に該挿通孔に昇降紐を挿通し、その上端を巻取輪に巻き取るようにすることもできる。
【００２５】
上記巻取輪２７を回転駆動することによりカーテン組立体５の展張・折り畳み操作を行うための操作機構４は、図１０〜図１２に示すように、上記巻取軸２６の軸端に設けられ、該巻取軸２６に一方向回転伝達機構３５を介して駆動輪３６を回転自在に支持させ、該駆動輪３６にそれを回転させる操作コード３７を巻き掛けている。上記一方向回転伝達機構３５は、駆動輪３６の回転によっては巻取軸２６に回転が伝達されるが、巻取軸２６側にカーテン組立体５の重量等に基づく回転力が作用しても、該駆動輪３６にその回転力が伝達されないようにしたものである。
【００２６】
上記一方向回転伝達機構３５は、具体的には、図１０及び図１１に示すように、上枠２における駆動輪３６の軸部３６ａを支持する端蓋３８の軸受部３８ａに隣接する筒部３８ｂの内面に、両端を中心側に突出させた係止部４０ａとするコイル状のバネ４０を拡径方向の付勢力を持たせて収容し、駆動輪３６の軸部３６ａには、その正逆いずれの回転時にも上記バネ４０の両端の係止部４０ａのいずれかに係止して該バネ４０の係止部４０ａを縮径側に押圧する係止突部４１を設け、一方、上記巻取軸２６の軸端に設けた連結子４３には、駆動輪３６の軸部３６ａに外嵌して一体回転するように連結されるが、上記巻取軸２６の回転時に上記バネ４０の両端の係止部４０ａに対して駆動輪３６の係止突部４１とは反対側に係止する一対の係止部材４３ａを設けることにより構成している。
【００２７】
従って、駆動輪３６に巻き掛けた操作コード３７を正または逆方向に引くことにより、該駆動輪３６の回転が一方向回転伝達機構３５を介して上記巻取輪２７に伝達され、カーテン組立体５を展張する方向に巻取輪２７が回転駆動された場合には、下枠３の重量によって巻取輪２７から昇降紐２５が繰り出されてカーテン組立体５が展張し、逆方向に巻取輪２７が回転駆動された場合には、カーテン組立体５が上枠２に向かって折り畳まれる。この場合には、駆動輪３６を正逆いずれの方向に回転させても、一方向回転伝達機構３５において駆動輪３６の軸部３６ａに設けた係止突部４１がバネ４０の係止部４０ａに係止して該バネ４０の係止部４０ａを縮径方向に押圧するので、上記駆動輪３６の軸部３６ａの回転がそれと一体的に回転する巻取軸２６の連結子４３に伝達される。
【００２８】
一方、下枠３を下方に引いてカーテン組立体５を展張しようとするなど、巻取軸２６側に回転駆動力が作用しても、該巻取軸２６の軸端に設けた連結子４３における係止部材４３ａが上記バネ４０の両端の係止部４０ａを該バネ４０が拡径する方向に押圧するので、該バネ４０が周囲の筒部３８ｂの内面に対して強く圧接され、両者間の摩擦力により連結子４３における係止部材４３ａの回転が抑制され、カーテン組立体５が展張し、あるいは折り畳まれることはない。
なお、ここでは、操作機構４として、上記操作コード３７により駆動輪３６を回転させて巻取軸２６に回転を伝達するように構成しているが、巻取軸２６の回転はそのような構成に限るものではない。
【００２９】
次に、上述した構成を有するすだれ状スクリーンにおいて、上記筒状部１３により形成された中空部１３ａを通して直射日光を遮る採光と通風を確保し、更に該中空部１３ａの正面側からを除く目隠し効果が得られる点について説明する。
図８に示すように、上記カーテン材１０の単一の筒状部１３がその折り畳み状態において開口部横幅ａを有しているとし、その筒状部１３がカーテン材１０の展張により図２や図４〜６に示すような形状になった場合に、その開口形状がほぼ円であると仮定すると、筒状部１３の径、つまり、図７における長さｃは、ほぼ〔０．６４×ａ〕程度になる。
【００３０】
一方、本発明においては、上記カーテン材１０の筒状部１３の軸線方向の長さｂ（図７参照）が、上記開口部横幅ａの０．５〜３倍、望ましくはａの１〜２倍の長さを有するものとしているので、図７に示すカーテン材１０の筒状部１３において、例えば、その筒状部１３の長さｂが開口部横幅ａの０．５倍であるとし、ｂ＝〔０．５×ａ〕とすると、太陽Ｓからの直射日光が筒状部１３を通して室内に入射する最大の仰角θは、ｔａｎθ＝ｃ／ｂ＝０．６４／０．５の関係から、５２°程度となり、南向きの窓にこのすだれ状カーテン１を設置したとしても、夏の昼間の直射日光は遮ることができる。但し、日当たりのよい西向き窓に設置した場合には西日が入るので、上記長さｂを更に大きいものにすることが望まれる。いずれの場合も十分な通気及び採光を行えるのは勿論である。
【００３１】
また、筒状部１３の長さｂが開口部横幅ａの３倍であるとすると、太陽Ｓからの直射日光が筒状部１３を通して室内に入射する最大の仰角θは１２°程度となり、朝日や夕日程度しか直射日光が室内に入射しなくなる。更に、筒状部１３の長さｂが開口部横幅ａの１倍である場合には、直射日光が筒状部１３を通して室内に入射する最大の仰角θが３３°程度となり、筒状部１３の長さｂが開口部横幅ａの２倍である場合には、直射日光が筒状部１３を通して室内に入射する最大の仰角θが１７°程度となり、窓の設置の向きにもよるが、上記筒状部１３により形成された中空部を通して適度に直射日光を遮る採光と通風を確保することができる。
【００３２】
なお、ここでは筒状部１３の開口形状がほぼ円になると仮定して、筒状部１３の径がほぼ〔０．６４×ａ〕程度になるとして上記仰角θを求めているが、図示した実施例から明らかなように、実際上は図７における長さｃは更に短いものとして仕様が設定され、図１４からわかるように、カーテン材１０を展張させた場合に、展張した下部では横幅Ｌａが大きく短縮するのを避けるため、カーテン組立体５を通して直射日光が室内に入射するのを更に遮ることができる。
【００３３】
一方、上記筒状部１３を有するカーテン組立体５は、屋外の正面側から見れば室内を見通すことができるが、筒状部１３の軸線方向に対して、上述した直射日光が入射する最大の仰角θと同程度の角度だけ傾いた方向から見れば室内を透視することができず、しかも視線が同角度よりも小さい角度であっても、筒状部１３の開口形状が実際には菱形に近いものになって、その開口の左右両端部分においては面積が狭窄化されるので、多数の微小部分しか室内を見通すことができず、室内を見通すときの角度に応じて室内を明確に覗き見できる範囲が大きく制限され、すぐれた目隠し効果を得ることができる。
【００３４】
一方、上述したように、中空の筒状部１３の多数が１〜３層で上下方向に展張・折り畳み自在に連接されたカーテン材１０の多数の各一端を、それらの筒状部１３の軸線が水平方向で該多数のカーテン材１０の並列面に直交する方向を向くようにして、上枠２に並列状態で密に配列させて固定したときには、図２に示すように各カーテン材１０を展張した状態では、各カーテン材１０の間に隙間１６が生じることになり、そして、各カーテン材１０が多層になればなる程、その隙間１６の幅が大きくなり、筒状部１３の長さを目隠し効果が得られるように設定してもそれが無意味になる。
【００３５】
この隙間１６を小さくするために、隣接するカーテン材１０を密に並列させるが、図２に示すように、筒状部１３が２層のカーテン材１０を用いた場合には、ほぼ同図に示すような隙間１６が生じることになり、この程度の隙間であれば目隠し効果を格別損なうものではないが、筒状部１３が４層にもなるようなカーテン材を用いると、図６の（Ｂ）に鎖線で付記（図の筒状部は３層であるが４層と仮定して付記）したように、隣接するカーテン材１０との間に比較的大きな隙間が生じることになり、かかる隙間が生じるようでは、目隠し効果が大きく損なわれるだけでなく、正面に位置する太陽の直射日光も相当量が入射することになる。従って、上記カーテン材の筒状部１３は３層までとするのが適切である。
【符号の説明】
【００３６】
１    すだれ状カーテン
２    上枠
３    下枠
４    操作機構
１０    カーテン材
１１    カーテン縁材
１２，１２ａ，１２ｂ    シート状材料
１３    筒状部
１３ａ    中空部
１４ａ，１５ａ，１５ｄ    折り目
１４ｂ，１５ｃ    接合部
１５ｂ，１５ｅ    接着代
２３    挿通孔
２５    昇降紐
２６    巻取軸
２７    巻取輪
【図１】
2011104168.tif 000003
【図２】
2011104168.tif 000004
【図３】
2011104168.tif 000005
【図４】
2011104168.tif 000006
【図５】
2011104168.tif 000007
【図６】
2011104168.tif 000008
【図７】
2011104168.tif 000009
【図８】
2011104168.tif 000010
【図９】
2011104168.tif 000011
【図１０】
2011104168.tif 000012
【図１１】
2011104168.tif 000013
【図１２】
2011104168.tif 000014
【図１３】
2011104168.tif 000015
【図１４】
2011104168.tif 000016